(57)【要約】【課題】筐体のサイズアップを抑えつつ、高機能なカメラを搭載してもその静電対策を充分に行うことの出来る携帯電子機器を提供する。【解決手段】第１筐体１２から突出させた凸部１４を、第２筐体１３のヒンジ軸受け１３ａ，１３ｂにて軸支して両筐体１２，１３を回動自在に連結した携帯電子機器であって、凸部１４にカメラ２９とスピーカホルダ３２とが配置され、第１筐体１２内部には、カメラ基板３４とディスプレイ１６とメイン基板１９とが配置され、メイン基板１９は、第２筐体１３内からヒンジ軸受けを介して第１筐体１２内部に配されるケーブル２８ａと接続されるグランドを有し、カメラ基板３４は、第２筐体１３内からヒンジ軸受けを介して第１筐体１２内部に配されるケーブル２８ｂと接続されるグランドを有し、スピーカホルダ３２は、導電性を有しメイン基板１９及びカメラ基板３４の各グランドと接続される。【選択図】図１
2007312032.tif 000002
【特許請求の範囲】
【請求項１】
２つの筐体を備え、一方の筐体から突出させた凸部を、他方の筐体の端縁に離間して設けた一対のヒンジ軸受けにて軸支して前記一方の筐体と他方の筐体とを互いに回動自在に連結した携帯電子機器であって、
前記凸部に、カメラと当該カメラが装着されるホルダとが配置され、前記一方の筐体内部には、前記カメラとの信号送受を行うカメラ基板とディスプレイと当該ディスプレイへの信号供給を行うメイン基板とが配置され、
前記メイン基板は、前記他方の筐体内から前記ヒンジ軸受けを介して前記一方の筐体内部に配される第１のケーブルと電気的に接続されるグランドを有し、
前記カメラ基板は、前記他方の筐体内から前記ヒンジ軸受けを介して前記一方の筐体内部に配される第２のケーブルと電気的に接続されるグランドを有し、
前記ホルダは、導電性を有し、前記メイン基板のグランド及び前記カメラ基板のグランドと電気的に接続されることを特徴とする携帯電子機器。
【請求項２】
前記カメラは、少なくとも前記凸部の突出方向と一致しない方向が撮像方向となるよう配され、
前記カメラ基板は、前記カメラよりも前記凸部の突出方向側に配され、前記カメラ基板の前記カメラに面しない側の面に前記第２のケーブルが接続されるコネクタが設けられることを特徴とする請求項１に記載の携帯電子機器。
【請求項３】
前記ホルダに接触させる第１接点部を一端に、前記カメラ基板に接触させる第２接点部を他端にそれぞれ有し、前記ホルダと前記カメラ基板を導通させる板金部材を備えることを特徴とする請求項１または２に記載の携帯電子機器。
【請求項４】
前記カメラ基板と前記カメラとの間には、前記カメラの関連機能部品が配され、
前記ホルダに接触させる第１接点部を一端に、前記カメラ基板に接触させる第２接点部を他端にそれぞれ有すると共に、前記関連機能部品に係合する係合部が形成され、当該係合部にて前記関連機能部品に係合されて前記ホルダと前記カメラ基板を導通させる板金部材を備えることを特徴とする請求項１または２に記載の携帯電子機器。
【発明の詳細な説明】
【技術分野】
【０００１】
本発明は、携帯電子機器に関し、特に、ヒンジ構造を介して２つの筐体を揺動可能に連結した携帯電子機器に関するものである。
【背景技術】
【０００２】
携帯電話機やＰＤＡ（Personal Digital Assistant）を典型例とする携帯電子機器は、そのディスプレイ上により多くの情報を表示するために、ディスプレイが大型化する傾向にあり、それに伴いディスプレイ部分と操作部分とを分割して機器の操作性を向上する形態のものが主流となっている。中でも、ヒンジ構造を介して２つの筐体を揺動可能に連結した、いわゆる折り畳み形式が特に携帯電話機に用いられている。また、近年の携帯電話機は、カメラやモバイル機能が組み込まれて、多機能化が進められている。
【０００３】
また、携帯電話機においては、外部からの静電気による影響を無くすために、静電気を特定の「静電気経路」を設けて基板のグランド（Ｇ）へ導いている。
このような携帯電子機器として、例えば、「電子機器」（特許文献１参照）が知られている。
【特許文献１】特開２００５−１２４１２７号公報
【発明の開示】
【発明が解決しようとする課題】
【０００４】
このように、多機能化、高機能デバイスの実装に伴い、さらに外部からの静電気の影響を考慮する必要がある。その一方で、高機能化に伴い大型化しつつある筐体のサイズを小型化せねばならないという課題も存在する。特に高機能なカメラは静電気対策が充分に必要である反面、そのデバイスとしてのサイズは無視しがたいものがあった。
本発明の目的は、筐体のサイズアップを抑えつつ、高機能なカメラを搭載してもその静電対策を充分に行うことの出来る携帯電子機器を提供することである。
【課題を解決するための手段】
【０００５】
上記目的を達成するため、本発明に係る携帯電子機器は、２つの筐体を備え、一方の筐体から突出させた凸部を、他方の筐体の端縁に離間して設けた一対のヒンジ軸受けにて軸支して前記一方の筐体と他方の筐体とを互いに回動自在に連結した携帯電子機器であって、前記凸部に、カメラと当該カメラが装着されるホルダとが配置され、前記一方の筐体内部には、前記カメラとの信号送受を行うカメラ基板とディスプレイと当該ディスプレイへの信号供給を行うメイン基板とが配置され、前記メイン基板は、前記他方の筐体内から前記ヒンジ軸受けを介して前記一方の筐体内部に配される第１のケーブルと電気的に接続されるグランドを有し、前記カメラ基板は、前記他方の筐体内から前記ヒンジ軸受けを介して前記一方の筐体内部に配される第２のケーブルと電気的に接続されるグランドを有し、前記ホルダは、導電性を有し、前記メイン基板のグランド及び前記カメラ基板のグランドと電気的に接続されることを特徴としている。
【０００６】
また、本発明は、前記カメラは、少なくとも前記凸部の突出方向と一致しない方向が撮像方向となるよう配され、前記カメラ基板は、前記カメラよりも前記凸部の突出方向側に配され、前記カメラ基板の前記カメラに面しない側の面に前記第２のケーブルが接続されるコネクタが設けられることを特徴とすることが好ましい。
また、本発明は、前記ホルダに接触させる第１接点部を一端に、前記カメラ基板に接触させる第２接点部を他端にそれぞれ有し、前記ホルダと前記カメラ基板を導通させる板金部材を備えることを特徴とすることが好ましい。
【０００７】
また、本発明は、前記カメラ基板と前記カメラとの間には、前記カメラの関連機能部品が配され、前記ホルダに接触させる第１接点部を一端に、前記カメラ基板に接触させる第２接点部を他端にそれぞれ有すると共に、前記関連機能部品に係合する係合部が形成され、当該係合部にて前記関連機能部品に係合されて前記ホルダと前記カメラ基板を導通させる板金部材を備えることを特徴とすることが好ましい。
【発明の効果】
【０００８】
本発明によれば、携帯電子機器において筐体のサイズアップを抑えつつ、高機能なカメラを搭載してもその静電対策を充分に行うことができる。
【発明を実施するための最良の形態】
【０００９】
以下、本発明を実施するための最良の形態について図面を参照して説明する。
図１は、本発明の一実施の形態に係る折り畳み形式の携帯電話機の側面図である。図２は、図１の携帯電話機の閉じた状態の斜視図である。図３は、図１の携帯電話機の開いた状態の斜視図である。
図１に示すように、携帯電子機器である携帯電話機１０は、ヒンジ構造１１を介して２つの筐体、第１筐体１２及び第２筐体１３を揺動可能に連結してなり、図２に示すように、第１筐体１２及び第２筐体１３はヒンジ構造１１を中心に折り畳むことができる。第１筐体１２の外表面には、後述するカメラ２９のレンズ面が位置するカメラ窓１２ａが設けられている。
【００１０】
図３に示すように、このヒンジ構造１１は、第１筐体１２から折り畳んで閉状態としたときに第２筐体１３に向かう方向（ディスプレイ１６に対して垂直な表示視認方向）に突出させた中空の凸部１４を、第２筐体１３の端縁の略中央が切り欠かれて形成される凹所１５に納められて構成される。さらに第２筐体１３の凹所１５の両脇には離間して一対のヒンジ軸受け１３ａ及び１３ｂが設けられ、このヒンジ軸受け１３ａ及び１３ｂは第１筐体１２の短手方向における凸部１４の両側面に設けられたヒンジ部品１４ａ、１４ｂ（図１１参照）に、それぞれ回動可能に組み付けられて互いに第１筐体１２は第２筐体１３に軸支される。
【００１１】
また、ヒンジ軸受け１３ａとヒンジ部品１４ａ、ヒンジ軸受け１３ｂとヒンジ部品１４ｂのそれぞれの組は、一方（この例では１３ａと１４ａの組）が互いの筐体の開状態、閉状態を保持するための回動方向に対する付勢手段が内蔵され、他方（この例では１３ｂと１４ｂの組）は内部が筒状に形成されて第１筐体１２内部と第２筐体１３内部とを結ぶケーブル２８ａ、２８ｂが挿通される。
そして、図示例で第１筐体１２は、少なくともディスプレイ１６、カメラ２９、ディスプレイ用のメイン基板１９、及びカメラ基板３４を内包する。
【００１２】
図４は、本発明の携帯電話機の分解斜視図である。図４に示すように、第１筐体１２は、メイン表示器（ディスプレイ）１６が装着される下ケース１７、ディスプレイ１６の背面に取り付けられて補強および静電対策を行う補強板金１８、メイン基板１９、サブ表示器２０を保持したサブ表示器ホルダ２１が装着される上ケース２２、及び化粧パネル（加飾プレート）２３を有しており、これら各部材を記載順に積み重ねて組み立てられている。
【００１３】
メイン基板１９には、メイン表示器１６の駆動用デバイス等（図示しない）が実装されており、上ケース２２の外表面に取り付けられる化粧パネル２３には、サブ表示器２０の表示面を露出させるアクリル樹脂等の透明部材からなるカメラレンズカバー２３ａが装着される。
第２筐体１３は、下ケース２４及び上ケース２５と、これらの間で挟持されるとともに操作キー（図示しない）が装着されている下側回路基板（図示しない）とを有している。これら各部材を記載順に積み重ねて組み立てられている。さらに下側回路基板への給電を行う駆動用のバッテリ（図示しない）が下ケース２４外面の設けられたバッテリ収納部に装着された後、バッテリリッド２６によりバッテリ収納部は蓋がされる。
【００１４】
図５は、携帯電話機の一方の筐体の内部構造を示す斜視図である。図５に示すように、化粧パネル２３及び上ケース２２を取り外した状態の第１筐体１２の補強板金１８の上には、主にディスプレイ１６の駆動用回路や第１のケーブル２８ａが接続されて第２筐体１３からの給電や描画信号や音声信号などの導通を行うＬＣＤコネクタ端子２７を搭載したメイン基板１９が載置され、このメイン基板１９とは別途に、カメラ２９及びそのカメラ基板やメイン基板１９から音声信号が供給されるスピーカ３１等をまとめたカメラモジュール２４が、メイン基板１９に隣り合うように配される。特にカメラモジュール２４は、少なくともカメラ基板とカメラの一部は凸部１４内に入り込むように下ケース１７に形成した凸部１４の設けられる領域に組み込まれている。
【００１５】
そして、第１のケーブル２８ａは、第２筐体１３内の回路基板からヒンジ部品１４ｂを介してカメラモジュール２４下を経由し、メイン基板１９とカメラモジュール２４との間の間隙を通ってメイン基板１９の実装面上に引き回された上でＬＣＤコネクタ端子２７ａに接続され、メイン基板１９と第２筐体１３側の回路基板とを複数のラインにて接続導通している。その際、カメラ基板３４には電気的には接続されない。そして、複数のラインの中にはグランド（基準電位）ラインが含まれ、メイン基板１９に第２筐体１３側の回路基板と等しくなるよう基準電位が供給されるグランドラインのパターンが形成されることとなる。また、補強板金１８はメイン基板の補強板金に対向する面に設けられたグランドパターンに当接して基準電位に維持されている。
【００１６】
図６は、カメラモジュールの分解斜視図である。図６に示すように、カメラモジュール２４は、カメラ２９と、カメラ２９の底面に装着するカメラベース３０とからなり、図示例の場合は、カメラモジュール２４をスピーカ３１が組み込まれるスピーカホルダ３２に形成したカメラホルダ部３２ａにカメラ２９を組み入れ一体化させた形にて、下ケース１７に形成した凸部１４内の、第１筐体１２内部空間と連続する空間内に組み込まれる。このスピーカホルダ３２は、カメラ２９とスピーカ３１を固定すると共に、表面の金属コーティングによりシールドされている。
【００１７】
カメラベース３０は、カメラ関連機能部品（端部に後述するマクロノブＤが摺動可能に取り付けられる非導電性のマクロホルダ）３３とカメラ基板３４とをカメラ２９の底面側から順に積層して配置したものである。マクロホルダ３３には、静電気対策用のヒンジ側グランド板金３５が装着され、カメラ基板３４には、静電気対策用のカメラ基板３４、タブ３６とマクロスイッチ３７が設置されている。
【００１８】
なお、マクロホルダ３３にはレール３３ｂが形成されており、このレール部３３ｂに、押し子と係合部の形成されるマクロノブＤ（図１４参照）が摺動可能に取り付けられる。また、カメラ２９はレンズの焦点距離を変更させるレバー２９ａを備えており、マクロノブＤがスライドされるとレバー２９ａを係合部にて動かして焦点距離を変更しつつ、カメラ基板３４上のマクロスイッチ３７を押し子で押圧する。この押圧されて生じる信号はケーブル２８ｂを介して下側回路基板上の図示しない制御部に伝達され、ソフトウェア上もカメラからの入力信号が標準撮影モードとマクロ（近接撮影）モードとで切り替えがなされたことを検出できるよう構成されている。
【００１９】
図７は、カメラベース３０にヒンジ側グランド板金３５、を装着する状態を説明する斜視図である。図８は、カメラ基板に装着されたヒンジ側グランド板金３５を示す斜視図である。図７に示すように、ヒンジ側グランド板金３５は、挟持部３５ａと、挟持部３５ａの一端に連続するカメラ基板用の第１接点部３５ｂ、及び挟持部（係合部）３５ａの他端に連続するサブ基板用の第２接点部３５ｃを有している。ヒンジ側グランド板金３５は、金属製の薄い板体を屈曲して形成されて弾性を有しており、マクロホルダ３３を挟持部３５ａにより挟み込み、マクロホルダ３３の固定爪３３ａを挟持部３５ａの孔３５ｄに係止させて、マクロホルダ３３に固定装着され、マクロホルダのスピーカホルダ３２（カメラホルダ）側（すなわちカメラ２９への対向面側）に第１接点部３５ｂを、カメラ基板３４側に第２接点部３５ｃをそれぞれ導通可能に配されることになる（図８参照）。
【００２０】
図９は、ヒンジ側グランド板金３５及びカメラ基板タブとスピーカホルダ３２の接触箇所を示し、（ａ）は斜視説明図、（ｂ）はスピーカホルダ３２の裏面の斜視図である。図９に示すように、マクロホルダ３３に装着される（図８参照）ヒンジ側グランド板金３５は、第１接点部３５ｂをスピーカホルダ３２の裏面側の接触面３２ｂに接触させると共に、第２接点部３５ｃをカメラ基板３４に接触させている。また、カメラ基板３４のカメラ基板タブ３６は、金属製の板バネからなり、その接点３６ａは、スピーカホルダ３２の裏面側の接触面３２ｃに接触させている。なお、図の簡略化のためにマクロホルダ３３は省略している。
【００２１】
また、カメラ基板３４は、第２筐体１３内の回路基板からヒンジ部品１４ｂを介してカメラ基板３４の裏面（スピーカホルダ３２の配される面の裏側の面）まで引き回される第２のケーブル２８ｂがカメラ基板３４の裏面に設けられるカメラ基板コネクタ端子２７ｂに接続されて、第２筐体１３側の回路基板との間で複数のラインにて接続導通される。ところでこのコネクタ２７ｂは多くの接続ピンを有するため、その配列方向となる一辺が特に長く形成される矩形状の外観を有している。凸部１４の内部は、一対のヒンジ軸受け１３ａ，ｂ間の方向においては一定の幅を持ちつつ、突出方向において略先細り状に形成されている。コネクタ２７ｂは、その長辺の方向がヒンジ軸受け１３ａ，ｂ間方向に一致するようにカメラ基板３４の凸部１４突出方向側の面に配されて、カメラ基板３４が凸部１４内に配されると凸部１４内の最深部に干渉することなく収まるように構成されている。
【００２２】
また、後述するように、外部からの静電気の対策のための構造や電気的接続がカメラ基板３４の一方の面にて行われるが、コネクタ２７ｂはこの対策面とは反対側に配されるため静電気の影響も少なくすることが出来る。
そして、複数のラインの中にはグランド（基準電位）ラインが含まれ、カメラ基板３４に第２筐体１３側の回路基板と等しくなるよう基準電位が供給されるグランドラインのパターンが形成されることとなる。
また、カメラ基板タブ３６は、カメラ基板３４のカメラ基板コネクタ端子２７ｂから基準電位接続されるグランドパターン上に半田付けされて基準電位に維持されている。さらに、第２接点部３５ｃは同じくカメラ基板３４のグランドパターン上に形成される接点に当接して導通する。これらにより、スピーカホルダ３２は２系統でカメラ基板３４のグランドパターン、ひいては第２筐体１３内の下側回路基板のグランドと導通することとなる。
【００２３】
図１０は、ヒンジ側グランド板金３５とスピーカホルダ３２の接触状態を示す説明図である。図１０に示すように、カメラ基板３４の上に組み込まれたヒンジ側グランド板金３５は、第１接点部３５ｂと第２接点部３５ｃが何れも撓んだ状態になり、第１接点部３５ｂをスピーカホルダ３２の接触面３２ｂに、第２接点部３５ｃをカメラ基板３４に、それぞれ圧接させた状態になる。
このように、ヒンジ側グランド板金３５により、カメラ２９が組み込まれたスピーカホルダ（カメラホルダ）３２とカメラ基板（サブ基板）３４との間に静電気経路が形成されることになる。
【００２４】
図１１は、第１筐体側の第１筐体グランド板金３８の取り付け状態を示し、（ａ）はグランド板金取り付け前の斜視説明図、（ｂ）はグランド板金取り付け後の斜視説明図である。図１１に示すように、第１筐体１２の凸部１４には、メイン基板１９が配置される側の所定箇所に、第１筐体グランド板金３８が取り付けられ固定されている。
図１２は、第１筐体グランド板金の斜視図である。図１２に示すように、第１筐体グランド板金３８は、係止部３８ａと、係止部３８ａの一端に連続するメイン基板用の第１接点部３８ｂ、及び係止部３８ａの他端に連続するスピーカホルダ用の第２接点部３８ｃを有している。第１筐体グランド板金３８は、金属製の薄い板体により形成されてバネ性を有しており、係止部３８ａにより第１筐体１２の凸部１４内に形成されたリブに固定装着される（図１１参照）。つまり、ヒンジ側グランド板金３５及び第１筐体グランド板金３８により、導電性のスピーカホルダ（カメラホルダ）３２を介して、メイン基板（ディスプレイ基板）１９及びカメラ基板（サブ基板）３４との間でグランド接続されることとなる。
【００２５】
図１３は、第１筐体グランド板金３８とメイン基板及びスピーカホルダの静電気対策用接触箇所を示す斜視説明図である。図１３に示すように、凸部１４に装着された（図１１参照）第１筐体グランド板金３８は、第１接点部３８ｂをメイン基板１９の表面側の接触面１９ａに接触させると共に、第２接点部３８ｃをスピーカホルダ３２の表面側の接触面３２ｄに接触させている。つまり、第１筐体グランド板金３８は、メイン基板１９及びスピーカホルダ３２が凸部１４に取り付けられた後に、凸部１４内のメイン基板１９とスピーカホルダ３２間のリブに取り付けられて、第１接点部３８ｂ及び第２接点部３８ｃの何れもメイン基板１９及びスピーカホルダ３２に、上方から接触して導通させている。
【００２６】
図１４は、静電気の侵入経路を説明する携帯電話機の外観斜視図である。図１４に示すように、携帯電話機１０において想定される静電気が侵入し易い箇所は、隙間のある箇所であり、スピーカホルダ３２及びカメラベース３０付近に関する場合、化粧パネル２３のカメラレンズカバー２３ａに設けたフラッシュ部の窓Ａとカメラ部の窓Ｂ、スピーカ部の放音用の孔Ｃ、及びマクロノブＤの露出部がある。
このような静電気の侵入経路に対し、静電気対策用の経路を説明する。フラッシュ部の窓Ａ・カメラ部の窓Ｂについては、フラッシュ部の窓Ａ（カメラ部の窓Ｂ）→カメラレンズカバー２３ａ（裏側の窓周縁に導電メッキ処理されている）→メイン基板タブ１９ａ（カメラレンズカバー２３ａ裏に当接する）→メイン基板１９のグランドへ導通して分散されるような経路となる。なお、カメラ部の窓Ｂについては、カメラ部の窓Ｂ→カメラレンズカバー２３ａ→カメラ基板３４タブ３６→スピーカホルダ３２→第１筐体グランド板金３８→メイン基板１９のグランドへの経路としてもよい。
【００２７】
スピーカ部の孔Ｃについては、スピーカ部の孔Ｃ→スピーカホルダ３２→第１筐体グランド板金３８→メイン基板１９のグランドへの経路となる。マクロノブＤの筐体への取り付け箇所における隙間からの静電気侵入については、マクロノブＤ→ヒンジ側グランド板金３５又はサブ板タブ３６→スピーカホルダ３２→第１筐体グランド板金３８→メイン基板１９のグランドへの経路となる。
【００２８】
このように、カメラ２９とマクロスイッチ３７などのカメラ関連部品のみのカメラ基板３４を設け、メイン基板１９とは別系統で、ケーブル２８ｂで操作キー側の下側回路基板へ直接引き回すことを実現したカメラ基板３４上に、静電気対策用のヒンジ側グランド板金３５と、静電気対策用のカメラ基板タブ３６を搭載し、外部（ヒンジ部周辺）から入ってきた静電気をメイン基板１９のグランドへ導くための経路を確保している。そして、このようにスピーカホルダを導電材料で構成し、さらにメイン基板、カメラ基板との隙間にて薄い板金で構成した２つのグランド板金により接続することで、隙間を効率よくして機器が大型化することも無く、カメラ基板３４へ侵入する静電気をケーブル２８ｂのみで下側回路基板のグランドに逃がす場合に比べてもう１系統のラインを設けることができ、それぞれのグランドライン系統における導電量を分散できて強力なグランドラインを確保するばかりでなく、ケーブル２８ｂにて流れるカメラの制御信号線への悪影響を少しでも少なくすることができる。
【００２９】
また、カメラ２９を組み入れ一体化させたスピーカホルダ３２を通して、外部から入ってきた静電気をグランドに導くための経路として、第１筐体１２に第１筐体グランド板金３８を追加してメイン基板１９のグランドに静電気を導く。
従って、これら静電気対策用のグランド板金３５，３８により、複数の経路で確実にカメラへの静電気をメイン（ＬＣＤ）基板１９あるいは下側回路基板のグランドに導くことができる。
【００３０】
そして、ヒンジ側グランド板金３５は、バネの挟み込む形状を利用してマクロホルダ３３に装着した後、固定爪３３ａにより固定している。これにより、順に上から落とし込むように組み立てられているので、組み込み性を損なわずに静電気対策を施すことができる。また、グランドを、スピーカホルダ３２を介して、カメラベース３０とメイン基板１９を接続している。これにより、スピーカホルダ３２を介して静電気（加えて、ノイズ等）対策を施すことができる。また、カメラベース３０とメイン基板１９が分かれる構造において、２つの基板を繋ぐことでグランドの強化ができる。
【００３１】
更に、カメラ２９が組み込まれたスピーカホルダ３２から、カメラ基板３４或いはメイン基板１９とそれぞれのケーブル２８ａ，ｂを通って、下ケース２４の下側回路基板のバッテリ側グランドに繋がる経路、即ち、２系統の静電気経路がループ状に形成されるので、インピーダンスが低下した状態で安定し、スピーカホルダ３２のカメラ２９に対するシールド性能が向上する。
【図面の簡単な説明】
【００３２】
【図１】本発明の一実施の形態に係る折り畳み形式の携帯電話機の側面図である。
【図２】図１の携帯電話機の閉じた状態の斜視図である。
【図３】図１の携帯電話機の開いた状態の斜視図である。
【図４】本発明の携帯電話機の分解斜視図である。
【図５】携帯電話機の一方の筐体の内部構造を示す斜視図である。
【図６】カメラモジュールの分解斜視図である。
【図７】マクロホルダにヒンジ側グランド板金を装着する状態を説明する斜視図である。
【図８】マクロホルダに装着されたヒンジ側グランド板金を示す斜視図である。
【図９】ヒンジ側グランド板金及びカメラ基板タブとスピーカホルダの接触箇所を示し、（ａ）は斜視説明図、（ｂ）はスピーカホルダの裏面の斜視図である。
【図１０】ヒンジ側グランド板金とスピーカホルダの接触状態を示す説明図である。
【図１１】第１筐体側のグランド板金の取り付け状態を示し、（ａ）はグランド板金取り付け前の斜視説明図、（ｂ）はグランド板金取り付け後の斜視説明図である。
【図１２】第１筐体グランド板金の斜視図である。
【図１３】第１筐体グランド板金、とメイン基板及びスピーカホルダの静電気対策用接触箇所を示す斜視説明図である。
【図１４】静電気の侵入経路を説明する携帯電話機の外観斜視図である。
【符号の説明】
【００３３】
１０  携帯電話機
１１  ヒンジ構造
１２  第１筐体
１２ａ  カメラ窓
１３  第２筐体
１３ａ，１３ｂ  ヒンジ軸受け
１４  凸部
１５  凹所
１６  メイン表示器
１７，２４  下ケース
１８  補強板金
１９  メイン基板
２０  サブ表示器
２１  サブ表示器ホルダ
２２，２５  上ケース
２３  化粧パネル
２３ａ  カメラレンズカバー
２６  バッテリリッド
２７ａ，ｂ  コネクタ端子
２８ａ，ｂ  ケーブル
２９  カメラ
３０  カメラベース
３１  スピーカ
３２  スピーカホルダ
３２ａ  カメラホルダ部
３３  カメラ関連機能部品（マクロホルダ）
３３ａ  固定爪
３４  カメラ基板
３５  ヒンジ側グランド板金
３５ａ  挟持部
３５ｂ，３８ｂ  第１接点部
３５ｃ，３８ｃ  第２接点部
３５ｄ  孔
３６  カメラ基板タブ
３７  マクロスイッチ
３８  第１筐体グランド板金
３８ａ  係止部
Ａ  フラッシュ部の窓
Ｂ  カメラ部の窓
Ｃ  スピーカ部の孔
Ｄ  マクロノブ
【図１】
2007312032.tif 000003
【図２】
2007312032.tif 000004
【図３】
2007312032.tif 000005
【図４】
2007312032.tif 000006
【図５】
2007312032.tif 000007
【図６】
2007312032.tif 000008
【図７】
2007312032.tif 000009
【図８】
2007312032.tif 000010
【図９】
2007312032.tif 000011
【図１０】
2007312032.tif 000012
【図１１】
2007312032.tif 000013
【図１２】
2007312032.tif 000014
【図１３】
2007312032.tif 000015
【図１４】
2007312032.tif 000016